(57)【要約】【課題】ホタテ貝を衝撃により損傷することなく採取することができるようにする。【解決手段】魚介類採取具の爪１０の本体１１は、鋼製であり、魚介類採取具に取り付ける基部１２、及び海底の土壌を掘り起こすための作用部１３を含み、基部１２から作用部１３に向かう方向を長手方向として延び、本体１１の作用部１３には、本体１１の長手方向に延びる一縁１１ｃに、土壌を掘り起こす超硬合金片２１が取り付けられ、超硬合金片２１は、長手方向に直交する面内においてアール形状を有している。【選択図】図４
2020061950.tif 000002
【特許請求の範囲】
【請求項１】
魚介類採取具の爪であって、
魚介類採取具に取り付ける基部と、海底の土壌を掘り起こすための作用部とを含み、前記基部から前記作用部に向かう方向を長手方向として延びる鋼製の本体と、
前記作用部において、前記本体の長手方向に延びる一縁に取り付けられ、土壌を掘り起こす超硬合金片と
を含み、前記超硬合金片は、前記長手方向に直交する面内においてアール形状を有する魚介類採取具の爪。
【請求項２】
前記超硬合金片は、前記長手方向に直交する面内において所定径の円の一部を有する請求項１に記載の魚介類採取具の爪。
【請求項３】
前記本体は、前記作用部の一縁に沿って延びる所定深さの切り欠きを有し、前記超硬合金片は、前記切り欠きに取り付けられた請求項１又は２に記載の魚介類採取具の爪。
【請求項４】
前記超硬合金片は、前記本体にろう付けにより取り付けられた請求項１から３のいずれか一項に記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する道具として、八尺と呼ばれる大きな熊手状の漁具が古くから使われている。図１は、このような従来から使われている八尺の一例を示す図である。図１(ａ)の全体図に示す八尺２００には、図１（ｂ）の拡大図に示すように、横棒２２０に取り付けられた柄２３０を介して複数の魚介類採取具の爪１１０が櫛状に取り付けられている。
【０００３】
図２に示すように、従来の魚介類採取具の爪１１０においては、一端１１１ａを含み、ボルト孔１１８によって柄２３０に取り付けられる基部１１２から、他端１１１ｂを含み、海底の土壌を掘り起こす作用部１１３に向かって本体１１１が延びている。作用部１１３において、本体１１１の長手に延びる一縁１１１ｃには、土壌を掘り起こす際の摩擦に耐えることができるように、板状の超硬合金片１２１が取り付けられている。
【０００４】
図１（ａ）に示した八尺２００は、引手２１０に取り付けられた図示しない引綱によって海底を引かれる。このとき、図３に示すように、魚介類採取具の爪１１０は、作用部１１３が海底の土壌３００に１０ｃｍ程度食い込み、作用部１１３の超硬合金片１２１で海底の土壌３００を掻き起し、土壌３００に潜り込んでいるホタテ貝３１０等を袋状の網２５０に採取することができる（例えば引用文献１、２を参照）。
【先行技術文献】
【特許文献】
【０００５】
【特許文献１】実公平３−２１４１号公報
【特許文献２】実公平４−１０８３２９号公報
【発明の概要】
【発明が解決しようとする課題】
【０００６】
ところで、ホタテ貝の貝殻は衝撃に弱いため、魚介類採取具の爪１１０で海底の土壌３００を掻き起こすときに超硬合金片１２１に衝突し、衝撃により割れてしまうことがあった。このため、魚介類採取具の爪１１０を用いた従来の八尺２００によって採取したホタテ貝は、割れるなど損傷していることがあった。
【０００７】
この出願に係る発明は、上述の実情に鑑みて提案されるものであって、ホタテ貝を衝撃により損傷することなく採取することができるような魚介類採取具の爪を提供することを目的とする。
【課題を解決するための手段】
【０００８】
上述の課題を解決するために、この出願に係る魚介類採取具の爪は、魚介類採取具に取り付ける基部と、海底の土壌を掘り起こすための作用部とを含み、基部から作用部に向かう方向を長手方向として延びる鋼製の本体と、作用部において、本体の長手方向に延びる一縁に取り付けられ、土壌を掘り起こす超硬合金片とを含み、超硬合金片は、長手方向に直交する面内においてアール形状を有する。
【０００９】
超硬合金片は、長手方向に直交する面内において所定径の円の一部を有してもよい。本体は、作用部の一縁に沿って延びる所定深さの切り欠きを有し、超硬合金片は、切り欠きに取り付けられてもよい。超硬合金片は、本体にろう付けにより取り付けられてもよい。
【発明の効果】
【００１０】
この出願に係る発明は、ホタテ貝が衝撃により割れたりすることなどを防止し、ホタテ貝を損傷することなく採取することを可能にする。
【図面の簡単な説明】
【００１１】
【図１】八尺の概略的な構成を説明する図である。
【図２】従来の魚介類採取具の爪を示す斜視図である。
【図３】従来の魚介類採取具の爪が使用される態様を説明する図である。
【図４】本実施の形態の魚介類採取具の爪を示す斜視図である。
【図５】本実施の形態の魚介類採取具の爪を示す三面図である。
【図６】本実施の形態の魚介類採取具の爪を説明するための右側面図である。
【図７】変形例の魚介類採取具の爪を示す斜視図である。
【発明を実施するための形態】
【００１２】
以下、本実施の形態に係る魚介類採取具の爪について、図面を参照して詳細に説明する。図４は、本実施の形態の魚介類採取具の爪を示す斜視図である。図５は、本実施の形態の魚介類採取具の爪を示す三面図である。
【００１３】
本実施の形態の魚介類採取具の爪１０は、魚介類採取具に取り付ける基部１２から海底の土壌を掘り起こすための作用部１３に向けて延びる本体１１と、作用部１３の切り欠け１４に取り付けられた超硬合金片２１とを有している。
【００１４】
本体１１は、鋼製であり、基部１２から作用部１３に向かって延びる方向を長手方向として、棒状で所定厚さを有する略直方体形状を有している。基部１２は、本体１１の一端１１ａを含み、魚介類採取具に取り付けられることによって、この魚介類採取具の爪１０を支持することができる。基部１２には、魚介類採取具に固定するためのボルト孔１８が形成され、このボルト孔１８にボルトが挿通されて、魚介類採取具に取り付けられる。
【００１５】
作用部１３は、海底の土壌を掘り越す作用を有し、土壌を掘り起こす際の摩擦に耐えることができるように、土壌を掘り起こす部分には耐摩耗性に優れる超硬合金片２１を取り付けている。作用部１３は、本体１１の他端１１ｂを含み、超硬合金片２１を取り付けるために、本体１１の長手方向に延びる一縁１１ｃに沿って他端１１ｂから所定長さにわたり所定深さの切り欠け１４を有している。
【００１６】
超硬合金片２１は、例えばＣｏを含有したＷＣ基の合金のような耐摩耗性の優れた超硬合金製であり、作用部１３において土壌を掘り起こす本体１１の一縁１１ｃに取り付けられている。超硬合金片２１は、本体１１の幅に対応する幅、切り欠け１４の長さに対応する長さ、切り欠け１４の深さに対応する高さを有し、底面２１ａがろう付けされて切り欠け１４に取り付けられている。
【００１７】
本実施の形態の超硬合金片２１は、本体１１の長手方向に直交する面内において、上面２１ｂがアール形状を有している。本実施の形態においては、このアール形状は、本体１１の所定厚さに対応する径を有する半円であってもよい。なお、アール形状は、所定の径の円の一部を含むものであってもよく、円の一部に限らず、楕円、二次曲線等の任意の曲線を含んでもよい。
【００１８】
図６は、本実施の形態の魚介類採取具の爪を説明するための右側面図である。図６（ａ）には、本実施の形態の魚介類採取具の爪を示している。図６（ｂ）には、比較のために、図２の従来の魚介類採取具の爪を示している。
【００１９】
図６（ａ）に示すように、本実施の形態の魚介類採取具の爪１０において、超硬合金片２１は、所定厚さを有する本体１１に対応する厚さを有する底面２１ａによって切り欠け１４に取り付けられている。また、アール形状を有する上面２１ｂの頂部は本体１１の一縁１１ｃの延長上にあり、上面２１ｂは面取りされた一縁１１ｃを含む本体１１の側面内に含まれている。
【００２０】
本実施の形態の魚介類採取具の爪１０においては、海底の土壌を掘り起こす超硬合金片２１の上面２１ｂがアール形状を有し、海底の土壌とともにホタテ貝等を滑らかに掘り起こすことができる。したがって、ホタテ貝に衝撃を与えてホタテ貝が割れるなどすることがなく、ホタテ貝を損傷することなく採取することを可能にする。
【００２１】
また、本実施の形態の超硬合金片２１の上面２１ｂがアール形状を有することにより、海底の土壌を滑らかに掘り起こすことができる。したがって、魚介類採取具の爪１０を引っ張る抵抗が小さくなる。また、魚介類採取具の爪１０を取り付けた八尺を引っ張る船の燃費が向上する。
【００２２】
さらに、本実施の形態の超硬合金片２１の上面２１ｂがアール形状を有し、鋭いエッジが存在しないため、作業者がエッジにより怪我をすることがなくなる。また、魚介類採取具の爪１０を搭載する船をエッジにより傷つけることがなくなる。
【００２３】
一方、図６（ｂ）に示す従来の魚介類採取具の爪１１０は、本体１１１の一縁１１１ｃに沿って板状の超硬合金片１２１が取り付けられ、超硬合金片１２１は一縁１１１ｃに沿ってエッジを有している。このため、海底の土壌を掘り起こすときにホタテ貝にエッジが衝突し、衝撃によりホタテ貝が割れることがあった。また、海底の土壌を掘り起こす超硬合金片１２１が板状のため、土壌を掘り起こすときの抵抗が大きかった。
【００２４】
なお、本実施の形態の魚介類採取具の爪１０においては本体１１の一縁１１ｃは面取りされていたが、本体１１の一縁１１ｃは、面取りに代わって、超硬合金片２１の上面２１ｂと同様にアール形状に形成されてもよい。本体１１の一縁１１ｃのアール形状は、超硬合金片２１の上面２１ｂのアール形状が本体１１の長手方向に延長されたものであってもよい。
【００２５】
図７は、本実施の形態の魚介類採取具の爪の変形例を示す図である。図７（ａ）は第１の変形例を示し、図７（ｂ）は第２の変形例を示している。図７（ａ）の第１の変形例及び図７（ｂ）の第２の変形例においては、本実施の形態の魚介類採取具の爪１０との対応関係が明らかになるように、対応する部分には共通する符号を用いることにする。
【００２６】
図７（ａ）に示す第１の変形例の魚介類採取具の爪３０は、魚介類採取具に取り付ける基部１２から海底の土壌を掘り起こすための作用部１３に向けて延びる本体１１と、作用部１３の切り欠け１４に取り付けられた超硬合金片２１とを有している。
【００２７】
本体１１は、鋼製であり、基部１２から作用部１３に向かって延びる方向を長手方向とし、所定厚さを有し、基部１２から作用部１３に向かうに連れて次第に高さが小さくなるような形状を有している。基部１２は、本体１１の一端１１ａを含み、魚介類採取具に取り付けられることによって、この魚介類採取具の爪１０を支持することができる。第１の変形例の魚介類採取具の爪３０においては、基部１２の一端１１ａが魚介類採取具に溶接されることによって取り付けられる。
【００２８】
作用部１３は、海底の土壌を掘り越す作用を有し、土壌を掘り起こす部分には耐摩耗性に優れる超硬合金片２１を取り付けている。作用部１３は、本体１１の他端１１ｂを含み、超硬合金片２１を取り付けるために、本体１１の長手方向に延びる一縁１１ｃにおいて他端１１ｂから所定長さにわたり所定深さの切り欠け１４を有している。また、一縁１１ｃに対向して本体１１の長手方向に沿って延びる他縁１１ｄと他端１１ｂとを結ぶ第２の切り欠け１６を有している。
【００２９】
超硬合金片２１は、本体１１の幅に対応する幅、切り欠け１４の長さに対応する長さを有し、底面２１ａがろう付けされて切り欠け１４に取り付けられている。第１の変形例の魚介類採取具の爪３０においては、超硬合金片２１の高さは、切り欠け１４の深さよりも大きく、超硬合金片２１は一縁１１ｃから高さ方向に突き出している。
【００３０】
第１の変形例の魚介類採取具の爪３０の超硬合金片２１は、本体１１の長手方向に直交する面内において、上面２１ｂがアール形状を有している。第１の変形例の魚介類採取具の爪３０においては、このアール形状は、本体１１の所定厚さに対応する径を有する半円であってもよい。
【００３１】
第１の変形例の魚介類採取具の爪３０においては、超硬合金片２１が本体１１の一縁１１ｃから突き出している。したがって、超硬合金片２１が海底の土壌を掘り起こすときに一縁１１ｃに向かう土壌の量を低減し、本体１１の一縁１１ｃの摩耗を低減することができる。
【００３２】
また、第１の変形例の魚介類採取具の爪３０においては、本体１１は基部１２から作用部１３に向かうに連れて高さが次第に小さくなるような形状を有し、作用部１３には第２の切り欠き１６が形成されている。したがって、本体１１が小型化され、軽量化が図られている。
【００３３】
図７（ｂ）に示す第２の変形例の魚介類採取具の爪４０は、超硬合金片２１の上面２１ｂのアール形状が図７（ａ）に示した第１の変形例の魚介類採取具の爪３０と異なっている。他の構成は、第１の変形例の魚介類採取具の爪３０と同様である。
【００３４】
第２の変形例の魚介類採取具の爪４０の超硬合金片２１も、本体１１の長手方向に直交する面内において、上面２１ｂがアール形状を有している。第２の変形例の魚介類採取具の爪４０においては、このアール形状は、本体１１の長手方向に直交する面内において、本体１１の所定厚さに対応する幅を有する所定高さの矩形上に、本体１１の所定厚さに対応する径を有する半円を載置した形状であってもよい。
【００３５】
第２の変形例の魚介類採取具の爪４０においては、第１の変形例の魚介類採取具の爪３０と比べると、超硬合金片２１の高さがさらに大きく、超硬合金片２１は本体１１の一縁１１ｃからさらに突出している。したがって、超硬合金片２１が海底の土壌を掘り起こすときに一縁１１ｃに向かう土壌の量をさらに低減し、本体１１の一縁１１ｃの摩耗をさらに低減することができる。また、超硬合金片２１の高さに余裕があるため、摩耗するまでの期間が長くなり、魚介類採取具の爪の寿命が延長される。
【符号の説明】
【００３６】
１０  魚介類採取具の爪
１１  本体
１２  基部
１３  作用部
１４  切り欠き
２１  超硬合金片
３０  第１の変形例の魚介類採取具の爪
４０  第２の変形例の魚介類採取具の爪
【図１】
2020061950.tif 000003
【図２】
2020061950.tif 000004
【図３】
2020061950.tif 000005
【図４】
2020061950.tif 000006
【図５】
2020061950.tif 000007
【図６】
2020061950.tif 000008
【図７】
2020061950.tif 000009